(57)【特許請求の範囲】
【請求項１】
画像表示手段と、前記画像表示手段の表示領域に設けられる操作入力手段と、前記操作入力手段への入力操作に基づいて前記画像表示手段の表示を制御する表示制御手段と、を備え、
前記表示制御手段は、
複数の機能種別を示す複数のメインアイコンと、前記複数の機能種別のいずれかに属する機能を示す一以上のサブアイコンとを表示させるメニュー画面を生成し、
前記メニュー画面において、前記複数のメインアイコンのいずれか一つのメインアイコンを他のメインアイコンより大きなサイズで表示させ、前記大きなサイズで表示されるメインアイコンの周囲を取り囲むようにそのメインアイコンが示す機能種別に属する機能のうち一部の所定数以下の機能に対応する一以上のサブアイコンを前記所定数を上限に表示させ、前記大きなサイズで表示されるメインアイコンが示す機能種別に属する機能のうち前記所定数以下の機能とは異なる機能に対応するサブアイコンをそのメインアイコンの周囲に表示させないことを特徴とする画像表示装置。
【請求項２】
前記入力操作を通じて前記大きなサイズで表示されるメインアイコンが他のメインアイコンに切り替えられる場合、切替前のメインアイコンが表示されていた第１表示位置に前記他のメインアイコンを前記大きなサイズで表示させ、前記切替前のメインアイコンを小さなサイズで前記第１表示位置とは別の第２表示位置に表示させ、前記第１表示位置に大きなサイズで表示される前記他のメインアイコンの周囲を取り囲むように前記他のメインアイコンが示す機能種別に属する機能のうち一部の前記所定数以下の機能に対応する別の一以上のサブアイコンを前記所定数を上限に表示させ、前記切替前のメインアイコンに対応する一以上のサブアイコンを非表示とし、前記第１表示位置に大きなサイズで表示される前記他のメインアイコンが示す機能種別に属する機能のうち前記所定数以下の機能とは異なる機能に対応するサブアイコンをそのメインアイコンの周囲に表示させないことを特徴とする請求項１に記載の画像表示装置。
【請求項３】
前記メニュー画面において、上に凸となる円弧上に前記複数のメインアイコンを表示し、前記大きなサイズで表示させるメインアイコンを前記表示領域の中央に表示し、前記他のメインアイコンを前記表示領域の左下または右下に表示させ、前記大きなサイズで表示させるメインアイコンの周囲であってそのメインアイコンよりも上側に前記一以上のサブアイコンを表示させることを特徴とする請求項１または２に記載の画像表示装置。
【請求項４】
前記メニュー画面において、前記大きなサイズで表示されるメインアイコンが示す機能種別に属する機能のうち利用頻度が相対的に高い前記所定数以下の機能に対応する前記所定数以下のサブアイコンをそのメインアイコンの周囲を取り囲むように表示させることを特徴とする請求項１から３のいずれか一項に記載の画像表示装置。
【請求項５】
前記メニュー画面において、前記大きなサイズで表示されるメインアイコンの周囲を取り囲むようにユーザが事前設定した前記所定数以下の機能に対応する一以上のサブアイコンを前記所定数を上限に表示させることを特徴とする請求項１から３のいずれか一項に記載の画像表示装置。
【請求項６】
前記メニュー画面において、前記複数のメインアイコンのいずれかを選択する操作がなされた場合、選択されたメインアイコンが示す機能種別に属する機能に対応する前記所定数より多い数のサブアイコンを一覧表示したサブメニュー画面を表示させることを特徴とする請求項１から５のいずれか一項に記載の画像表示装置。
【発明の詳細な説明】
【技術分野】
【０００１】
本発明は、画像表示装置に関し、特に、車両用の画像表示装置に関する。
【背景技術】
【０００２】
近年の車両には、カーナビゲーションシステムによる地図表示等がなされる画像表示装置が設けられる。表示画面にはタッチパネル式の操作入力手段が設けられ、画面上に表示されるアイコン等を指で操作することにより入力操作が実現される。例えば、メニュー表示のためのアイコンを押下すると、目的地、エアコン、オーディオ、情報表示といった複数のメニューアイコンが一覧表示されるトップメニュー画面が表示される。トップメニュー画面から所望のメニューアイコンを押下すると、より詳細な内容を選択するためのサブメニュー画面が表示され、さらにメニュー選択操作を進めていくと、目的地設定や、音量設定、車両情報の表示といった各種機能を発揮させるための画面が表示される。
【先行技術文献】
【特許文献】
【０００３】
【特許文献１】特開２０１３−１２９３５２号公報
【発明の概要】
【発明が解決しようとする課題】
【０００４】
車両用の画像表示装置を介して実現される機能は多様化しており、メニュー画面を通じて選択可能となる機能の種類数は増加傾向にある。その一方で、限られた表示領域に一度に表示できるメニューアイコン数には上限があるため、機能数の増加に対応するためには、メニュー画面の階層数を増やしたり、ページ送り機能を設けたりする必要が生じる。その結果、ユーザは所望の機能を発揮させるための画面にたどり着くまでに複数回の入力操作を毎回しなければならず、機能の多様化と引き換えに機能選択の操作が煩雑となってしまう。
【０００５】
また、メニュー画面の階層数やページ数を少なくするために、限られた表示領域にできるだけ多くのメニューアイコンを表示させようとすると、各アイコンの表示が小さくなり、区別のしにくい画一的な表示形態となりうる。その結果、一見しただけではどのアイコンがどのメニューに対応するかが判別できず、目的とする機能を素早く選択できないといった利便性の低下につながってしまう。
【０００６】
本発明はこうした状況に鑑みてなされたものであり、その目的は、操作性および視認性を高めたメニュー画面の表示を実現する技術を提供することにある。
【課題を解決するための手段】
【０００７】
上記課題を解決するために、本発明のある態様の画像表示装置は、画像表示手段と、前記画像表示手段の表示領域に設けられる操作入力手段と、前記操作入力手段への入力操作に基づいて前記画像表示手段の表示を制御する表示制御手段と、を備える。前記表示制御手段は、複数の機能種別を示す複数のメインアイコンと、前記複数の機能種別のいずれかに属する機能を示す一以上のサブアイコンとを表示させるメニュー画面を生成し、前記メニュー画面において、前記複数のメインアイコンのいずれか一つのメインアイコンを他のメインアイコンより大きなサイズで表示させ、前記大きなサイズで表示されるメインアイコンの周辺にそのメインアイコンが示す機能種別に属する機能のうち一部の機能に対応する一以上のサブアイコンを所定数を上限に表示させる。
【０００８】
この態様によると、大きく表示されるメインアイコンの周辺に一部の機能に対応するサブアイコンが表示されるため、よく使う機能といった一部の機能をすぐに選択できる。その結果、特定の機能を選択するためのサブメニュー画面を開かなくても、メインアイコンが表示されるトップメニュー画面上で一部の機能を選択して実行できる。また、大きく表示されるメインアイコンの周辺にサブアイコンが配置されるため、目立つ態様のメインアイコンとその周辺のサブアイコンにユーザの視線が自然と向けられることとなり、サブアイコンの視認性が高められ、目的とするアイコンが探しやすくなる。したがって、本態様によれば、操作性および視認性の優れたユーザにとって使いやすいメニュー画面を提供できる。
【０００９】
前記表示制御手段は、前記大きなサイズで表示されるメインアイコンの周辺に利用頻度が相対的に高い機能に対応する一以上のサブアイコンを表示させてもよい。
【００１０】
前記表示制御手段は、前記大きなサイズで表示されるメインアイコンの周辺にユーザが事前設定した機能に対応する一以上のサブアイコンを表示させてもよい。
【００１１】
前記表示制御手段は、上に凸となる円弧上に前記複数のメインアイコンを配置して表示させ、前記メニュー画面の表示中に前記操作入力手段を介して前記円弧に沿ったスワイプ操作がなされた場合、前記大きなサイズで表示されるメインアイコンを他のメインアイコンに切り替えて表示させてもよい。
【００１２】
前記表示制御手段は、前記大きなサイズで表示させるメインアイコンを前記表示領域の中央に配置し、前記他のメインアイコンを前記表示領域の左右に配置して表示させてもよい。
【発明の効果】
【００１３】
本発明によれば、操作性および視認性を高めたメニュー画面を提供できる。
【図面の簡単な説明】
【００１４】
【図１】実施例に係る画像表示装置の機能構成を示すブロック図である。
【図２】トップメニュー画面の表示例を示す図である。
【図３】トップメニュー画面の表示例を示す図である。
【図４】サブメニュー画面の表示例を示す図である。
【図５】比較例に係るトップメニュー画面の表示例を示す図である。
【発明を実施するための形態】
【００１５】
図１は、実施例に係る画像表示装置１０の機能構成を示すブロック図である。図示する各機能ブロックは、ハードウェア的には、コンピュータのＣＰＵやメモリをはじめとする素子や機械装置で実現でき、ソフトウェア的にはコンピュータプログラム等によって実現されるが、ここでは、それらの連携によって実現される機能ブロックとして描いている。したがって、これらの機能ブロックはハードウェア、ソフトウェアの組み合わせによっていろいろなかたちで実現できることは、当業者には理解されるところである。
【００１６】
画像表示装置１０は、タッチディスプレイ１２と、表示制御手段２０とを備える。画像表示装置１０は、いわゆるＨＭＩ（Human Machine Interface）として機能する。タッチディスプレイ１２は、画像表示手段１４と、操作入力手段１６とを有する。画像表示手段１４は、液晶ディスプレイ等の表示装置であり、車両のセンターコンソールやダッシュボードの位置に取り付けられる。操作入力手段１６は、いわゆるタッチパネル式のセンサであり、画像表示手段１４の表示領域に設けられる。
【００１７】
表示制御手段２０は、タッチディスプレイ１２と、車載ネットワーク１８とに接続されている。表示制御手段２０は、車載ネットワーク１８を介して車両に搭載される各種ＥＣＵ（Electronic Control Unit）３０と接続される。本実施例では、ＥＣＵ３０として、車両情報ＥＣＵ３２、エアコンＥＣＵ３４、オーディオＥＣＵ３６、電話接続ＥＣＵ３８およびナビゲーションＥＣＵ４０を例示している。しかしながら、表示制御手段２０と接続されるＥＣＵの種類はこれらに限られず、図示する例とは異なる機能または種類のＥＣＵが接続されてもよいし、図示する一部のＥＣＵとは接続されなくてもよい。また表示制御手段２０は、車載ネットワーク１８を介さずに各種ＥＣＵ３０と直接接続されてもよい。
【００１８】
表示制御手段２０は、操作入力手段１６による入力操作を実現させるための操作画面を生成し、画像表示手段１４に表示させる。表示制御手段２０は、操作入力手段１６により入力された操作内容に基づいて制御信号を生成し、車載ネットワーク１８を介してＥＣＵ３０に制御信号を送信する。表示制御手段２０は、ＥＣＵ３０から受信する信号に基づいて画像表示手段１４に表示させる表示画面を生成する。例えば、車両情報ＥＣＵ３２から取得する車両情報に基づいて車両情報表示画面を生成し、ナビゲーションＥＣＵ４０から取得する地図情報に基づいてナビゲーション画面を生成する。
【００１９】
表示制御手段２０は、メニュー画面生成部２２と、操作履歴保持部２４と、メニュー表示設定部２６とを有する。メニュー画面生成部２２は、操作入力手段１６からの入力操作により機能を選択するためのアイコンが配置されるメニュー画面を生成する。メニュー画面は階層化されており、「目的地」「情報」「電話」「アプリ」といった機能種別を選択するためのトップメニュー画面と、それぞれの機能種別を選択した後に具体的な機能を選択するためのサブメニュー画面とが用意される。
【００２０】
操作履歴保持部２４は、ユーザの操作入力の履歴を保持する。操作履歴保持部２４は、操作入力手段１６を介して選択可能な機能のリスト情報を有し、各機能の利用回数、利用頻度、利用した日時などの情報を記憶する。利用回数は、例えば、操作履歴保持部２４が記憶する履歴情報がリセットされてからの全期間にわたる利用回数の累積値であり、各機能が選択されるたびに利用回数を示す値がカウントアップされる。利用頻度は、所定の期間（例えば、過去１ヶ月、３ヶ月、半年、１年など）に各機能が利用された回数の累積値である。操作履歴保持部２４は、操作履歴を保持することにより、ユーザによる利用頻度の高い機能がいずれであるかを特定できるようにする。
【００２１】
メニュー表示設定部２６は、メニュー画面生成部２２が生成するメニュー画面の表示態様を決めるための各種パラメータを保持する。メニュー表示設定部２６は、メニュー画面に表示されるアイコンの表示順序や表示優先度を決めるためのパラメータを保持し、例えば、同じ機能種別に対応するアイコンのうち他のアイコンと比べて優先して表示させるアイコンを設定する。メニュー表示設定部２６は、操作履歴保持部２４に保持される利用回数や利用履歴に応じて優先表示させるアイコンを決定し、例えば、利用頻度の高いアイコンが他のアイコンよりも優先的に表示されるようにする。メニュー表示設定部２６は、ユーザからの入力操作によって優先表示させるアイコンを事前設定してもよく、いわゆるお気に入り登録を受け付けて保持してもよい。メニュー画面生成部２２は、メニュー表示設定部２６の設定に応じてメニュー画面を生成する。
【００２２】
つづいて、メニュー画面の表示例について説明する。図２および図３は、トップメニュー画面５０の表示例を示す。図２のトップメニュー画面５０には、複数のメインアイコン６１，６２，６３と、一以上のサブアイコン７１，７２，７３とが配置される。複数のメインアイコン６１〜６３は、表示領域の下方位置に仮想的に設定される点Ｏを中心とした円弧上に配置されるように並べられる。つまり、画面の上下方向を基準として、上に凸となる円弧上に配置されるように並べられる。中央に配置されるメインアイコン６２は、左右に配置される他のメインアイコン６１，６３と比べて表示サイズが大きく、他のメインアイコン６１，６３よりも目立つ態様にて表示される。大きいサイズで表示されるメインアイコン６２は、他のメインアイコン６１，６３やサブアイコン７１〜７３との差が際立つように表示色を変えてもよい。一以上のサブアイコン７１〜７３は、大きく表示されるメインアイコン６２の周辺に配置され、メインアイコン６２の周囲を取り囲むように配置される。一以上のサブアイコン７１〜７３は、複数のメインアイコン６１〜６３が配置される円弧上を避けるように配置されてもよく、図示されるように、円弧よりも上側の領域のみ配置されてもよい。
【００２３】
複数のメインアイコン６１〜６３は、機能種別を示すアイコンであり、操作入力手段１６を介して選択可能な各種機能の大分類を示す。本実施例では、機能種別として「目的地」「情報」「電話」「アプリ」が用意され、それぞれの機能種別を示すメインアイコンがトップメニュー画面５０に表示される。図２に示すトップメニュー画面５０では、「アプリ」「目的地」「電話」の３つのメインアイコン６１〜６３が表示されている場合を示しており、「情報」のメインアイコンが非表示となっている。複数のメインアイコン６１〜６３のいずれかを押下すると、押下したメインアイコンに対応する機能種別のサブメニュー画面が表示される。例えば、「目的地」のメインアイコン６２を押下すると、ナビゲーションシステムの目的地を設定する機能を選択するためのサブメニュー画面（後述する図４）が表示される。
【００２４】
複数のメインアイコン６１〜６３は、仮想的に設定される点Ｏを中心とした円弧に沿って移動可能となるように構成されており、例えば、中央のメインアイコン６２の上に指を接触させた状態で円弧に沿って左右のいずれかの方向にスワイプさせると、メインアイコンの表示位置が切り替えされる。例えば、右方向に向かって指をスワイプさせる動作をすると、図３に示すようにメインアイコンの表示位置が右方向に一つずつずれた状態となる。具体的には、「目的地」のメインアイコン６２が右側に配置され、「電話」のメインアイコン６３が中央に配置され、「情報」のメインアイコン６４が左側に配置される。このとき、中央に配置される「電話」のメインアイコン６３は他のメインアイコン６２，６４よりも大きく表示され、中央に配置されていた「目的地」のメインアイコン６２は小さい表示となって右側に配置される。
【００２５】
一以上のサブアイコン７１〜７３は、操作入力手段１６を介して選択可能な機能を示すアイコンである。トップメニュー画面５０では、画面中央に大きく表示されるメインアイコン６２の機能種別に属する機能を示すサブアイコンのみが表示され、他の機能種別に属する機能を示すサブアイコンは表示されない。図２の画面例では、「目的地」のメインアイコン６２が大きく表示されているため、目的地設定に関する機能として「特別メモリ３」「自宅へ戻る」「履歴」の３つのサブアイコン７１〜７３が表示される。一方、図３の画面例では「電話」のメインアイコン６３が大きく表示されるため、電話に関する機能として「通話履歴」「自宅番号」「会社番号」の３つのサブアイコン７４〜７６が表示される。なお、「アプリ」のメインアイコン６１が中央に大きく表示される場合には、エアコンの設定機能、オーディオ、テレビ、ビデオなどの再生機能、ウェブ情報の表示機能などに対応するサブアイコンが表示される。また、「情報」のメインアイコン６４が中央に大きく表示される場合には、車両の走行距離や燃費情報、車両がハイブリッド車であれば蓄電池情報の表示機能に対応するサブアイコンなどが表示される。
【００２６】
一以上のサブアイコン７１〜７３は、メニュー表示設定部２６の設定に基づいて所定数を上限に表示される。トップメニュー画面５０に表示されるサブアイコンの表示数は限定されており、ある機能種別に属する複数の機能のうち、ユーザの利用頻度が高い機能やユーザがお気に入り登録した一部の機能のみが表示される。図示する例では、トップメニュー画面５０に表示されるサブアイコン数が３つである場合を示しているが、サブアイコンの表示数は１つや２つであってもよいし、４つや５つ、６つ以上であってもよい。なお、サブアイコンの視認性が低下しないように、ある程度少ない数（例えば、３〜５個以下）に限定されてサブアイコンが表示されることが好ましい。トップメニュー画面５０に表示されるサブアイコン数は、固定的であってもよいし、ユーザの設定に応じて可変であってもよい。ユーザの設定に応じてサブアイコンの表示数を変更できる場合、その表示数はメニュー表示設定部２６に保持される。
【００２７】
図４は、サブメニュー画面５１の表示例を示し、機能種別として「目的地」が選択された後に表示されるサブメニュー画面５１を示している。サブメニュー画面５１には、具体的な機能を選択するための複数のサブアイコン７８が表示されている。複数のサブアイコン７８のそれぞれは、ナビゲーションシステムへの目的地の設定方法が異なる複数の機能を示す。具体的には、目的地の名称を５０音検索で設定する「名称」、目的地を住所の一覧から設定する「住所」、目的地を施設のジャンルの一覧から設定する「施設」、目的地を電話番号で検索して設定する「電話番号」、目的地をウェブ検索して設定する「ＷＥＢ」などのサブアイコン７８が用意される。また、事前に特別メモリに登録しておいた地点を目的地に設定する特別メモリ「１」〜「５」や、過去の履歴一覧から目的地を設定する「履歴」、事前登録しておいた自宅住所を目的地に設定する「自宅へ戻る」などのサブアイコン７８も用意される。
【００２８】
なお、「目的地」の機能種別に属する機能は上述したもの以外も存在し、例えば、登録されたメモリ地点の一覧から目的地を設定する「メモリ地点」、施設のジャンルを指定して現在地や目的地周辺の施設を一覧から設定する「ジャンル」、マップコードの入力により目的地を設定する「マップコード」などが挙げられる。これらの機能を選択するためのサブアイコンは図４のサブメニュー画面５１に入りきらないため、別のページに表示されるようにしている。サブメニュー画面５１に表示されるページ送りアイコン５４を押下すると、サブメニュー画面５１のページが切り替えられ、「メモリ地点」「ジャンル」「マップコード」などのサブアイコンが配置されるサブメニュー画面が表示される。また、戻るアイコン５６を押下すると、図４のサブメニュー画面５１に遷移する前に表示されていたトップメニュー画面や別のサブメニュー画面などに切り替えられる。
【００２９】
つづいて、本実施例が奏する効果について比較例を参照しながら説明する。図５は、比較例に係るトップメニュー画面９０を示す。比較例におけるトップメニュー画面９０では、機能種別を示す複数のメインアイコン９２のみが表示され、サブアイコンは表示されていない。比較例に係るトップメニュー画面９０の場合、機能種別を示すメインアイコン９２を選択し、その後に表示されるサブメニュー画面においてサブアイコンを押下して機能を選択する。サブメニュー画面が階層化されている場合には、サブメニュー画面よりもさらに下層のメニュー画面を開いてから具体的な機能を選択することとなる。その結果、特定の機能を実行するために少なくとも２回以上の操作が必要であり、メニュー画面が切り替えされるたびに利用したい機能に対応するアイコンを探し出す必要が生じる。また、比較例におけるトップメニュー画面９０では、複数のメインアイコン９２が同じような大きさで似たような表示態様にて整然と表示されるため、一見しただけでは見分けが付きにくく、目的とする機能種別のメインアイコンを探し出すのに時間がかかってしまうこともある。
【００３０】
一方、本実施例に係るトップメニュー画面５０では、中央に大きく配置されるメインアイコン６２の周辺に使用頻度の高いサブアイコン７１〜７３が表示されるため、よく使う機能であれば、トップメニュー画面５０で１回の操作をするだけで目的とする機能を実行できる。また、画面の中央に大きくメインアイコン６２が表示されるため、トップメニュー画面５０を一瞥したときに自然と中央のメインアイコン６２に視線が向きやすく、その周辺に配置されるサブアイコン７１〜７３も自然と視野に入ることとなる。そのため、利用したい機能に対応するサブアイコンが表示されていれば、そのサブアイコンをすぐに見つけ出して選択できる。したがって、よく使う機能を選択するための操作が簡略化され、ユーザの利便性が高められる。
【００３１】
また、利用頻度の低い機能を選択する場合であっても、画面の中央に大きくメインアイコン６２が表示されるため、比較例に係るトップメニュー画面９０よりもメインアイコンの視認性が高められる。仮に、大きく表示されるメインアイコン６２が目的とする機能種別とは異なっていても、目的とするメインアイコンではないことがすぐに認識できるため、メインアイコン６２を左右に動かして別の機能種別が中央に表示されるように切り替えできる。このとき、大きく表示されるメインアイコンの機能種別を切り替えたとしてもサブアイコンの表示位置はほぼ変わらないため、視線位置を変えることなく、利用したいサブアイコンが表示されているか否かを容易に判別できる。このため、画面の中から利用したいサブアイコンを探し出す手間が軽減され、ユーザの利便性が高められる。
【００３２】
また、本実施例に係るトップメニュー画面５０では、複数のメインアイコン６１〜６３が上に凸となる円弧上に配置されるため、ユーザの腕の関節を支点とした回転運動によって複数のメインアイコン６１〜６３をスワイプさせる動作が容易となる。つまり、ユーザの手首、肘、肩などを支点として指の先端を円弧上に移動させる際の軌跡に沿って複数のメインアイコン６１〜６３が配置されるため、ユーザの負担が少ない楽な動作でメインアイコンの表示を切り替えできる。また、機能選択のためのサブアイコン７１〜７３が画面中央のメインアイコン６２の周辺ないし近傍に配置されるため、機能種別を切り替えるために指をスワイプさせた後に、指の先端位置を少し変える動作をするだけでサブアイコンを押下できる。したがって、負担の少ない楽な動作でトップメニュー画面５０を操作することができ、ユーザの利便性が高められる。
【００３３】
本実施例によれば、大きく表示されるメインアイコン６２を画面の中央に配置し、その左右に小さく表示されるメインアイコン６１，６３を配置することで、左右にスワイプさせる動作によってメインアイコンを切り替える動作をユーザに想起させやすくできる。これにより、別途操作説明などを提示しなくても、直感的でわかりやすい操作入力を提供できる。
【００３４】
また本実施例では、ユーザの利用履歴に基づいて利用頻度の高い機能を自動的にトップメニュー画面５０に配置するため、お気に入り登録などの事前設定をしなくても、よく使う機能をトップメニュー画面５０に表示させることができる。これにより、機能の多様化に伴ってお気に入り登録の必要な項目が増大し、煩わしい設定操作が必要となることを防ぐことができる。また、ユーザ設定に応じてお気に入りの機能をトップメニュー画面５０に配置することもできるため、利用履歴がそれほど蓄積されていない場合であっても、利用頻度とは無関係によく使う機能をトップメニュー画面５０に表示させることができる。
【００３５】
以上、本発明を実施の形態をもとに説明した。これらの実施の形態はあくまで例示であり、実施の形態どうしの任意の組み合わせ、実施の形態の各構成要素や各処理プロセスの任意の組み合わせなどの変形例もまた、本発明の範囲にあることは当業者に理解されるところである。
【００３６】
上述の実施例では、大きいサイズで表示させるメインアイコンを表示領域の中央に配置し、相対的に小さいサイズで表示させるメインアイコンを表示領域の左右に配置する場合を示した。変形例においては、大きいサイズで表示させるメインアイコンを表示領域の左側に配置し、小さいサイズのメインアイコンを表示領域の中央と右側に配置してもよい。逆に、大きいサイズで表示させるメインアイコンを表示領域の右側に配置し、小さいサイズのメインアイコンを表示領域の中央と左側に配置してもよい。
【００３７】
上述の実施例では、大きいサイズで表示させるメインアイコンの周辺に利用頻度の高い機能に対応するサブアイコンやユーザが設定した機能に対応するサブアイコンを配置する場合を示した。変形例においては、あらかじめ固定的に設定された一部の機能を示すサブアイコンがメインアイコンの周辺に表示されるようにしてもよい。例えば、画像表示装置１０の設計時に利用頻度が高いと想定される一部の機能が固定的にトップメニュー画面５０に表示されるようにしてもよい。
【符号の説明】
【００３８】
１０…画像表示装置、１４…画像表示手段、１６…操作入力手段、２０…表示制御手段、５０…トップメニュー画面、５１…サブメニュー画面、６１，６２，６３，６４…メインアイコン、７１，７２，７３，７４，７５，７６…サブアイコン。
【図１】
0006747835.tif 000002
【図２】
0006747835.tif 000003
【図３】
0006747835.tif 000004
【図４】
0006747835.tif 000005
【図５】
0006747835.tif 000006